(57)【要約】【課題】意匠性を良好にすることができる照明器具を提供する。【解決手段】照明器具１０は、天井面に直接取り付けられる器具本体１１と、器具本体１１に保持された主光源１４と、器具本体１１の外縁部に天井面に向けて照射する演出灯１８と、を有し、演出灯１８の照射光を特定の形状に変形させるための光学部材２０を備え、演出灯１８の光軸および光学部材２０の設置角度の少なくとも一方の角度を、演出灯１８の光を照射する面に対して傾けた。【選択図】図１
2010277893.tif 000002
【特許請求の範囲】
【請求項１】
天井面に直接取り付けられる器具本体と、
前記器具本体に保持された主光源と、
前記器具本体の外縁部に前記天井面に向けて照射する演出灯と、を有する照明器具であって、
前記演出灯の照射光を特定の形状に変形させるための光学部材を備え、
前記演出灯の光軸および前記光学部材の設置角度の少なくとも一方の角度を、前記演出灯の光を照射する面に対して傾けたことを特徴とする照明器具。
【請求項２】
前記演出灯の照射光が入射する範囲にリング形状の透明部材を設置したことを特徴とする請求項１に記載した照明器具。
【請求項３】
前記透明部材は、Ｌ字形状部を有することを特徴とする請求項１または２に記載した照明器具。
【発明の詳細な説明】
【技術分野】
【０００１】
本発明は、例えば住宅等の天井面に直接取り付けられる直付け型の照明器具に関し、特にＬＥＤ光源の演出灯を有する照明器具に関する。
【背景技術】
【０００２】
従来の照明器具の一例として、器具本体を取り付ける取付面に垂直な方向に照射する下向き発光ダイオードと、器具本体の周縁から外側の取付面を照射する斜め上向き発光ダイオードとを有するものが知られている（例えば、特許文献１参照）。
【先行技術文献】
【特許文献】
【０００３】
【特許文献１】特開２００９−７６２１４公報（図６、請求項１）
【発明の概要】
【発明が解決しようとする課題】
【０００４】
ところが、上記特許文献１に開示された従来の照明器具では、発光ダイオードがレンズ等の光学部材を有さない。
従って、発光ダイオード特有の点光り等を生じて意匠性が良好ではない。
【０００５】
本発明は、前述した課題を解決するためになされたものであり、その目的は、意匠性を良好にすることができる照明器具を提供することにある。
【課題を解決するための手段】
【０００６】
本発明に係る照明器具は、天井面に直接取り付けられる器具本体と、前記器具本体に保持された主光源と、前記器具本体の外縁部に前記天井面に向けて照射する演出灯と、を有する照明器具であって、前記演出灯の照射光を特定の形状に変形させるための光学部材を備え、前記演出灯の光軸および前記光学部材の設置角度の少なくとも一方の角度を、前記演出灯の光を照射する面に対して傾けたことを特徴とする。
【０００７】
本発明においては、演出灯の光軸および演出灯の照射光を特定の形状に変形させるための光学部材の設置角度との少なくとも一方の角度を演出灯の光を照射する面に対して傾けた。
これにより、光学部材を通じて演出灯の照射光を天井面の広い範囲に照射することにより、特定の形状の照射光による光が、天井面を絵画のキャンバスとして演出される。
従って、意匠性を良好にすることができる。
【０００８】
本発明に係る照明器具は、上記構成の照明器具において、前記演出灯の照射光が入射する範囲にリング形状の透明部材を設置したことを特徴とする。
【０００９】
本発明においては、演出灯の光はリング形状の透明部材を透過して天井面をリング形状に照射する。
これにより、リング形状をなす照射光の光が、天井面を絵画のキャンバスとして演出される。
従って、意匠性を良好にすることができる。
【００１０】
本発明に係る照明器具は、上記構成の照明器具において、前記透明部材は、Ｌ字形状部を有することを特徴とする。
【００１１】
本発明においては、透明部材のＬ字形状部は成形時のヒケを防止するとともに導光された光の光ダマリを形成する。
これにより、透明部材を安定した形状に成形することができ、リング形状の照射に光ダマリが加えられる。
従って、光ダマリによる変化のある光の演出を行うことができる。
【発明の効果】
【００１２】
本発明の照明器具によれば、演出灯の照射光を特定の形状に変形させるための光学部材を備え、演出灯の光軸および光学部材の設置角度の少なくとも一方の角度を、演出灯の光を照射する面に対して傾けた。
これにより、意匠性を良好にすることができるという効果を有する。
【図面の簡単な説明】
【００１３】
【図１】本発明に係る一実施形態の照明器具の分解斜視図
【図２】図１に示した照明器具の垂直断面図
【図３】図２に示した照明器具の演出灯周りの拡大図
【図４】図１に示した照明器具に適用される演出灯ユニットの分解斜視図
【図５】図４に示した演出灯ユニットに適用されるベース部材の平面図
【図６】図５に示したベース部材の左側面図
【図７】図５のＡ−Ａ線断面図
【図８】図１に示した照明器具に適用される光学部材の平面図
【図９】図８に光学部材の破線における断面図
【図１０】図１に示した照明器具の光学的特性を説明する垂直断面図
【図１１】図１に示した照明器具の光学的特性を説明する斜め下方から視た外観図
【図１２】図１に示した照明器具の光学的特性を説明する真下から視た外観図
【図１３】本発明に係る一実施形態の照明器具の第１変形例の要部垂直断面図
【図１４】本発明に係る一実施形態の照明器具の第２変形例の要部垂直断面図
【発明を実施するための形態】
【００１４】
以下、本発明の一実施形態に係る照明器具について、図面を参照して説明する。
【００１５】
本発明の一実施形態である照明器具１０は、上枠１２および下枠１３を有する器具本体１１と、器具本体１１に保持されている主光源である環状の蛍光灯１４と、５個の演出灯ユニット１５と、セード１６と、を備えて天井面１に直接取り付けられる直付けタイプの照明器具である。
【００１６】
図１、図２に示すように、器具本体１１は、金属製で円板形状に形成されている。器具本体１１は天井面１に設けられた不図示の引っ掛けシーリングを介して天井面１に固定されている。器具本体１１は不図示の取付具を介して天井面１に対向する床面側に蛍光灯１４を保持している。
【００１７】
器具本体１１は、天井面１側に円環形状の透光性を有する透光性カバー（透明部材）である上枠１２を配置し、床面側に同じく円環形状で不透光性を有する下枠１３を配置している。下枠１３は蛍光灯１４を覆うように配置されている。
【００１８】
演出灯ユニット１５は、ベース部材１７と、演出灯であるＬＥＤ光源（図４参照）１８を実装したＬＥＤ基板１９と、光学部材２０と、を備える。演出灯ユニット１５は、器具本体１１の外縁部において上枠１２と下枠１３との間に複数配置されている。
【００１９】
ＬＥＤ光源１８は、RedＬＥＤとGreenＬＥＤとBlueＬＥＤであるRGBＬＥＤであり、それぞれは調光比を０％から１００％までそれぞれ変更されて給電されることにより、青色、水色、緑色、黄色、橙色、赤色、紫色の７色による混色光と、青色、青水色、水色、水緑色、緑色、緑黄色、黄色、黄橙色、橙色、橙赤色、赤色、赤紫色、紫色、紫青色の１４色による混色光と、を発光する。
【００２０】
器具本体１１は、その中央部に不図示の点灯回路部を取り付けている。点灯回路部には、外部から不図示の外部配線が引き込まれており、蛍光灯１４およびＬＥＤ基板１９に給電を行う。点灯回路部は、不図示のリモコン装置からのリモコン信号を受光するための不図示のリモコン信号受光部を床面に向けて装備している。
【００２１】
図３に示すように、器具本体１１の上枠１２は、その外縁部において水平面に対して下方へ向けて予め定められた角度θ１で傾斜した傾斜透光部２１を有する。
【００２２】
器具本体１１の下枠１３は、上枠１２と同様にして、その外縁部に水平面に対して下方へ向けて予め定められた角度θ２で傾斜した演出灯ユニット固定部２２を有する。
【００２３】
そして、上枠１２の傾斜透光部２１と下枠１３の演出灯ユニット固定部２２とにより密閉空間２３を形成している。演出灯ユニット１５は、密閉空間２３内において上枠１２の傾斜透光部２１に光学部材２０を当接させて、下枠１３の演出灯ユニット固定部２２に取り付けられている。
【００２４】
図４、図５、図６、図７に示すように、ベース部材１７は、透光性のない樹脂材料を用いて全体としてへ字状の板形状に形成されている。ベース部材１７には、固定基部２４と、固定手段を構成する一対のＬＥＤ基板係止部２５と、同じく固定手段を構成する一対の光学部材係止部２６と、を有する。
【００２５】
ＬＥＤ基板１９は、その両側部に突部２７を有し、一対の位置決め穴２８を有する。
【００２６】
光学部材２０は、へ字形状に屈曲されたレンズ面２９を有し、レンズ面２９の両側部に係止部受３０をそれぞれ有する。
【００２７】
固定基部２４は、下枠１３の演出灯ユニット固定部２２に、例えば熱熔着や接着等の接合手段により固定される。固定基部２４は、ＬＥＤ基板係止部２５の間に一対のボス３１を有する。
【００２８】
ＬＥＤ基板係止部２５は、ＬＥＤ基板１９の突部２７に係止する可撓係止片である。ＬＥＤ基板１８は、その位置決め穴２８を固定基部２４のボス３１に位置決め挿入しながら、突部２７をＬＥＤ基板係止部２５に係止させることによりベース部材１７に一体に組み付けられる。
【００２９】
光学部材係止部２６は、光学部材２０の係止部受３０に係止する可撓係止片である。光学部材２０は、その係止部受３０を光学部材係止部２６に係止させることによりベース部材１７に一体に組み付けられる。
【００３０】
このように、演出灯ユニット１５は、ベース部材１７にＬＥＤ光源１８を実装したＬＥＤ基板１９と光学部材２０と組み付けることにより、ベース部材１７とＬＥＤ基板１９と光学部材２０とを一体構造で形成することができる。
これにより、取り扱い性を良好にすることができる。
【００３１】
図８、図９に示すように、光学部材２０は、そのレンズ面２９の出射側に複数の凹凸面３１からなるフレネルプリズムシート部３２を、それぞれの傾斜方向を対向させるようにして複数個設けている。
【００３２】
光学部材２０は、その入射面３３から入射したＬＥＤ光源１８の発光光をフレネルプリズムシート部３２の凹凸面３１から拡散させて天井面１に向けて出射させる。
【００３３】
次に、照明器具１０の詳細および光学的特性について説明する。
【００３４】
図１０に示すように、器具本体１１の上枠１２は、傾斜透光部２１の縁部に、Ｌ字形状部３４を形成している。Ｌ字形状部３４は、傾斜透光部２１と同一の厚さ寸法を有して屈曲成形されている。
【００３５】
照明器具１０は、蛍光灯１４の点灯により周囲が明るくなっていても、演出灯ユニット１５を取り付けている下枠１３が蛍光灯１４を覆って配置されているために、上枠１２と天井面１との間に暗くなっている暗範囲３５を形成している。
【００３６】
そして、照明器具１０は、ＬＥＤ光源１８の光軸および光学部材２０の設置角度を天井面１に対して傾けて設定している。
【００３７】
ＬＥＤ基板１９に給電されることによりＬＥＤ光源１８が発光される。ＬＥＤ光源１８から光学部材２０に向けて出射した発光光α１は、光学部材２０の入射面３３からフレネルプリズムシート部３２を通じ、上枠１２の傾斜透光部２１を透過して天井面１の暗範囲３５に対して外方に向けて斜めに照射される。
【００３８】
ＬＥＤ光源１８から上枠１２のＬ字形状部３４に入射した発光光α２は、Ｌ字形状部３４によりリング形状をなして暗範囲３５の外側を照射する。
【００３９】
図１１に示すように、暗範囲３５内においては、光学部材２０を通じて光学的に処理した蝶を模した特定形状の光による映像３６を、天井面１を絵画のキャンバスとして演出する。これは照明器具１０の斜め方向からしか見えない。
【００４０】
図１２に示すように、暗範囲３５の外側においては、Ｌ字形状部３４を通じたリング形状の光による映像３７を、天井面１を絵画のキャンバスとして演出する。このとき、照明器具１０の真下からは暗範囲３５内の映像３６は見えない。
【００４１】
図１３に示すように、本発明に係る一実施形態の照明器具１０の第１変形例では、下枠１３に水平な演出灯ユニット固定部４１が形成されており、水平な演出灯ユニット固定部４１にＬＥＤ基板１９を固定している。
【００４２】
ＬＥＤ基板１９に給電されることによりＬＥＤ光源１８が発光される。ＬＥＤ光源１８から光学部材２０に向けて出射した発光光α３は、光学部材２０の入射面３３からフレネルプリズムシート部３２を通じ、上枠１２の傾斜透光部２１を透過して天井面１の暗範囲３５に対して外方に向けて斜めに照射される。
【００４３】
ＬＥＤ光源１８から上枠１２のＬ字形状部３４に入射した発光光α４は、Ｌ字形状部３４によりリング形状をなして暗範囲３５の外側を照射する。
【００４４】
そして、暗範囲３５内において、光学部材２０を通じて光学的に処理した蝶を模した特定形状の光による映像３６を、天井面１を絵画のキャンバスとして演出し、暗範囲３５の外側において、Ｌ字形状部３４を通じたリング形状の光による映像３７を光を、天井面１を絵画のキャンバスとして演出する。
【００４５】
図１４に示すように、本発明に係る一実施形態の照明器具１０の第２変形例では、光学部材２０のレンズ面２９を水平に配置している。
【００４６】
ＬＥＤ基板１９に給電されることによりＬＥＤ光源１８が発光される。ＬＥＤ光源１８から光学部材２０に向けて出射した発光光α５は、光学部材２０の入射面３３から入射し、フレネルプリズムシート部３２を通じてから出射し、その後に、上枠１２の傾斜透光部２１を透過して天井面１の暗範囲３５に対して外方に向けて斜めに照射される。
【００４７】
ＬＥＤ光源１８から上枠１２のＬ字形状部３４に入射した発光光α６は、Ｌ字形状部３４によりリング形状をなして暗範囲３５の外側を照射する。
【００４８】
そして、暗範囲３５内において、光学部材２０を通じて光学的に処理した蝶を模した特定形状の光による映像３６を、天井面１を絵画のキャンバスとして演出し、暗範囲３５の外側において、Ｌ字形状部３４を通じたリング形状の光による映像３７を、天井面１を絵画のキャンバスとして演出する。
【００４９】
以上説明したように、本発明の一実施形態の照明器具１０では、ＬＥＤ光源１８の光軸およびＬＥＤ光源１８の照射光を特定の形状に変形させるための光学部材２０の設置角度をＬＥＤ光源１８の光を照射する天井面１に対して傾けた。
これにより、光学部材２０を通じてＬＥＤ光源１８の照射光を天井面１の広い範囲に照射することにより、特定の形状の照射光による光が、天井面１を絵画のキャンバスとして演出される。
従って、意匠性を良好にすることができる。
【００５０】
本発明の一実施形態の照明器具１０では、ＬＥＤ光源１８の光はリング形状の上枠１２を透過して天井面１をリング形状に照射する。
これにより、リング形状をなす照射光の光が、天井面１を絵画のキャンバスとして演出される。
従って、意匠性を良好にすることができる。
【００５１】
本発明の一実施形態の照明器具１０では、上枠１２のＬ字形状部３４は成形時のヒケを防止するとともに導光された光の光ダマリを形成する。
これにより、上枠１２を安定した形状に成形することができ、リング形状の照射に光ダマリが加えられる。
従って、光ダマリによる変化のある光の演出を行うことができる。
【００５２】
本発明の一実施形態の照明器具１０では、器具本体１１の外縁部の内側は、周囲が明るくても暗くなっている。そして、暗くなっている暗範囲３５に向けてＬＥＤ光源１８の光が照射される。
これにより、ＬＥＤ光源１８により暗範囲３５を照射することにより照射を確実に確認することができる。
従って、演出性を良好にすることができる。
【００５３】
本発明の一実施形態の照明器具１０では、暗範囲３５を照射するＬＥＤ光源１８は、外縁部が傾斜している器具本体１１の下枠１３に取り付けられている。
これにより、ＬＥＤ光源１８の照射範囲が器具本体１１の外側に向けられる。
従って、ＬＥＤ光源１８により広い範囲で光の演出を行うことができる。
【００５４】
本発明の一実施形態の照明器具１０では、暗範囲３５を照射するＬＥＤ光源１８の光軸が天井面１に対して傾斜している。
これにより、ＬＥＤ光源１８の照射範囲が天井面１の広い範囲に向けられる。
従って、ＬＥＤ光源１８により広い範囲で光の演出を行うことができる。
【００５５】
本発明の一実施形態の照明器具１０では、光学部材係止部２６により演出灯ユニット１５に光学部材２０が一体的に固定される。
これにより、演出灯ユニット１５において光学部材２０とＬＥＤ光源１８との間での光学的特性にずれを生ずることなく配置することができる。
従って、簡単な構造にすることができる。
【００５６】
本発明の一実施形態の照明器具１０では、光学部材係止部２６により一体的に組み立てられた演出灯ユニット１５のうちのＬＥＤ光源１８の照射方向に上枠１２が配置される。
これにより、上枠１２および下枠１３により形成される密閉空間２３内に演出灯ユニット１５が組み込まれる。
従って、密閉空間２３により塵挨等の侵入を防止して光学的特性に支障を生ずることがない。
【００５７】
なお、前記実施形態で使用した器具本体１１、蛍光灯１４等は例示したものに限定するものではなく適宜変更が可能である。
【符号の説明】
【００５８】
１  天井面
１０  照明器具
１１  器具本体
１２  上枠（透明部材）
１４  蛍光灯（主光源）
１８  ＬＥＤ光源（演出灯）
２０  光学部材
３４  Ｌ字形状部
【図１】
2010277893.tif 000003
【図２】
2010277893.tif 000004
【図３】
2010277893.tif 000005
【図４】
2010277893.tif 000006
【図５】
2010277893.tif 000007
【図６】
2010277893.tif 000008
【図７】
2010277893.tif 000009
【図８】
2010277893.tif 000010
【図９】
2010277893.tif 000011
【図１０】
2010277893.tif 000012
【図１１】
2010277893.tif 000013
【図１２】
2010277893.tif 000014
【図１３】
2010277893.tif 000015
【図１４】
2010277893.tif 000016